(57)【要約】無線端末接続は在圏セルに関連する在圏基地局からＣＳＧ（クローズド加入者グループ）基地局によりサービスが提供されるＣＳＧセルへハンドオーバされ得る。ＣＳＧに属する無線端末のみがＣＳＧセルからのサービスにアクセスして受信することを許可されている。在圏セル内の無線端末は一般にＣＳＧ基地局によって送信された信号の信号品質測定値を在圏基地局へ報告しないように通知される。しかし、在圏セル内の無線端末がＣＳＧセルからのサービスにアクセスして受信することを認可される場合に、無線端末はＣＳＧ基地局によって送信された信号の信号品質測定値を在圏基地局へ報告するように命令される。この報告に基づいて、接続はＣＳＧ基地局へハンドオーバされ得る。リストされたＣＳＧセルが、無線端末がアクセスすることを認可された隣接セルである場合に、中央ノードはＣＳＧ認可無線端末を識別するＣＳＧ認可リストを在圏基地局へ提供する。
2010537480.tif 000002
【特許請求の範囲】
【請求項１】
在圏セルに関連する在圏基地局（１８，１９）からＣＳＧ（クローズド加入者グループ）基地局によりサービスが提供されるＣＳＧセルへの無線端末接続のハンドオーバに関する方法であって、前記ＣＳＧに属する無線端末（２０）のみが前記ＣＳＧセルからのサービスにアクセスして受信することを許可されており、前記ＣＳＧ基地局により送信された信号の信号品質測定値を前記在圏基地局へ報告すべきでない無線端末を識別する情報が前記在圏セル内の無線端末へ提供されており、
前記方法は前記在圏基地局において実装されており、
前記在圏セル内の無線端末の一つが前記ＣＳＧセルからのサービスにアクセスして受信することを認可されていることを判定する工程と、
前記ＣＳＧセルが前記無線端末についてのハンドオーバ候補とみなされ得ることを示すメッセージを前記一つの無線端末へ送信する工程と、
前記ＣＳＧ基地局に対応する信号品質測定値報告に基づいて、前記一つの無線端末との接続が前記ＣＳＧ基地局へハンドオーバ可能であることを判定する工程と、
前記ＣＳＧ基地局への前記接続のハンドオーバを促進する工程と
を有することを特徴とする方法。
【請求項２】
前記ＣＳＧ基地局により送信された信号の信号品質測定値を前記在圏基地局へ報告しないための前記情報は前記在圏セル内で同報され、前記情報が報告されるべきでないセルを識別するリスト又は前記情報が報告されるべきセルのみを識別するセルのリストを含むことを特徴とする請求項１に記載の方法。
【請求項３】
前記情報が報告されるべきでないセルを変更するために前記在圏セル内で変更済セル・リストを同報する工程をさらに含むことを特徴とする請求項２に記載の方法。
【請求項４】
前記ＣＳＧセルが禁止セルであることを示す第１メッセージを用いて無線端末は前記ＣＳＧ基地局により送信された信号の信号品質測定値を前記在圏基地局へ報告しないことを通知され、
前記送信する工程は、前記ＣＳＧ基地局により送信された信号の信号品質測定値を前記無線端末が報告すべきことを示す後続する第２メッセージを前記無線端末へ送信する工程と含む
ことを特徴とする請求項１に記載の方法。
【請求項５】
前記ＣＳＧセルが禁止セルであることを示す前記第１メッセージは、前記セルが規制又は制限されており、若しくはＣＳＧセルであるという情報を含むことを特徴とする請求項４に記載の方法。
【請求項６】
前記在圏基地局又は前記ＣＳＧ基地局により前記第１メッセージが送信されることを特徴とする請求項４に記載の方法。
【請求項７】
前記判定する工程は、前記在圏基地局に結合された中央ノード（７０）から、前記無線端末が前記ＣＳＧセルからのサービスにアクセスして取得することを認可されていることを示すＣＳＧセルの認可リストを受信する工程を含むことを特徴とする請求項１に記載の方法。
【請求項８】
前記認可リストは、前記無線端末の位置を考慮して前記無線端末について取り得るハンドオーバ候補であるＣＳＧセルのみを含めるように前記中央ノードにおいてフィルタされることを特徴とする請求項７に記載の方法。
【請求項９】
前記ＣＳＧセルは前記無線端末がアクセスしてサービスを要求することを認可されているＣＳＧセルのＣＳＧネットワークの一部であり、各ＣＳＧネットワーク・セルは関連するセル識別子を有しており、
前記判定する工程は、前記在圏基地局に結合された中央ノードからＣＳＧセル識別子の範囲を受信する工程を含む
ことを特徴とする請求項１に記載の方法。
【請求項１０】
前記ＣＳＧセル識別子の範囲内のセル識別子を同報する一つ以上のハンドオーバ候補ＣＳＧセルについて測定値情報を報告するように前記無線端末へ通知する工程をさらに有することを特徴とする請求項９に記載の方法。
【請求項１１】
在圏セルに関連する在圏基地局からＣＳＧ（クローズド加入者グループ）基地局によりサービスが提供されるＣＳＧセルへの無線端末接続のハンドオーバを支援する在圏基地局（１８，１９）であって、前記ＣＳＧに属する無線端末（２０）のみが前記ＣＳＧセルからのサービスにアクセスして受信することを許可されており、前記ＣＳＧ基地局により送信された信号の信号品質測定値を前記在圏基地局へ報告すべきでない無線端末を識別する情報が前記在圏セル内の無線端末へ提供されており、
前記在圏基地局（１８，１９）は、
無線送受信回路（３２）と、
前記在圏セル内の無線端末の一つが前記ＣＳＧセルからのサービスにアクセスして受信することを認可されていることを判定し、
前記ＣＳＧセルが前記無線端末についてのハンドオーバ候補とみなされ得ることを示すメッセージを前記一つの無線端末へ送信し、
前記ＣＳＧ基地局についての信号品質測定値報告に基づいて、前記一つの無線端末との接続が前記ＣＳＧ基地局へハンドオーバ可能であることを判定し、
前記ＣＳＧ基地局への前記接続のハンドオーバを促進する
ように構成された電子処理回路を含むデータ処理システム（３４）と
を備えることを特徴とする在圏基地局（１８，１９）。
【請求項１２】
前記無線送受信回路は、前記ＣＳＧ基地局により送信された信号の信号品質測定値を前記在圏基地局へ報告しないための前記情報を前記在圏セル内に同報し、前記情報が報告されるべきでないセルを識別するリスト又は前記情報が報告されるべきセルのみを識別するセルのリストを含めることを特徴とする請求項１１に記載の在圏基地局。
【請求項１３】
前記無線送受信回路は、前記情報が報告されるべきでないセルを変更するために前記在圏セル内で変更済セル・リストを同報することを特徴とする請求項１２に記載の在圏基地局。
【請求項１４】
前記ＣＳＧセルが一般アクセスに対して禁止セルであることを示す第１メッセージを用いて無線端末は前記ＣＳＧ基地局により送信された信号の信号品質測定値を前記在圏基地局へ報告しないことを通知されており、
前記電子回路は、前記ＣＳＧ基地局により送信された信号の信号品質測定値を前記無線端末が報告すべきことを示すとともに、前記無線端末へ前記無線送受信回路を介して送信される後続する第２メッセージを生成するように構成された
ことを特徴とする請求項１１に記載の在圏基地局。
【請求項１５】
前記ＣＳＧセルが禁止セルであることを示す前記メッセージは、前記セルが規制セル、制限セル又はＣＳＧセルであるという情報を含むことを特徴とする請求項１４に記載の在圏基地局。
【請求項１６】
前記電子回路は、前記在圏基地局に結合された中央ノードから、前記無線端末が前記ＣＳＧセルからのサービスにアクセスして取得することを認可されていることを示すＣＳＧセルの認可リストを受信するように構成されたことを特徴とする請求項１１に記載の在圏基地局。
【請求項１７】
前記電子回路は、ＣＳＧセルの前記認可リストと前記在圏セルの隣接セル関連リストとを比較し、前記在圏セルの隣接セル関連リスト内のＣＳＧセルの新たな認可リストをまとめるように構成されたことを特徴とする請求項１６に記載の在圏基地局。
【請求項１８】
前記電子回路は、ＣＳＧセルの前記認可リストを受信する前に、前記在圏セルの隣接セル関連リストを前記中央ノードへ送信するように構成されたことを特徴とする請求項１７に記載の在圏基地局。
【請求項１９】
前記ＣＳＧセルは前記無線端末がアクセスしてサービスを要求することを認可されているＣＳＧセルのＣＳＧネットワークの一部であり、各ＣＳＧネットワーク・セルは関連するセル識別子を有しており、
前記電子回路は、前記在圏基地局に結合された中央ノードからＣＳＧセル識別子の範囲を受信し、前記無線端末のセル識別子が前記受信されたＣＳＧセル識別子の範囲内かを調べ、範囲内の場合に前記ＣＳＧネットワーク内のすべてのＣＳＧセルからのサービスにアクセスして受信することを前記無線端末に認可するように構成された
ことを特徴とする請求項１１に記載の在圏基地局。
【請求項２０】
前記無線送受信回路は、前記ＣＳＧセル識別子の範囲内のセル識別子を同報する一つ以上のハンドオーバ候補ＣＳＧセルについて測定値情報を報告するように前記無線端末へ通知することを特徴とする請求項１９に記載の在圏基地局。
【請求項２１】
前記電子回路は、前記無線端末についての以前の在圏基地局からのハンドオーバの間にＣＳＧセルの認可リストを受信するように構成され、
前記ＣＳＧセルの認可リストは、前記無線端末が前記ＣＳＧセルからのサービスにアクセスして取得することを認可されていることを示す
ことを特徴とする請求項１１に記載の在圏基地局。
【請求項２２】
前記電子回路は、前記在圏基地局において前記無線端末が前記無線ネットワークへアクセスした際に中央ノード（７０）からＣＳＧセルの認可リストを受信するように構成され、
前記ＣＳＧセルの認可リストは、前記無線端末が前記ＣＳＧセルからのサービスにアクセスして取得することを認可されていることを示す
ことを特徴とする請求項１１に記載の在圏基地局。
【請求項２３】
在圏セルに関連する在圏基地局（１８，１９）と通信する無線端末（２０）であって、前記無線端末はＣＳＧ（クローズド加入者グループ）基地局によりサービスが提供されるＣＳＧセルに属しており、前記ＣＳＧに属する無線端末のみが前記ＣＳＧセルからのサービスにアクセスして受信することを許可されており、
前記無線端末（２０）は、
無線送受信回路（６０）と、
ＣＳＧ基地局によって送信された信号の信号品質測定値を前記在圏基地局へ報告しないことを前記無線端末に知らせる第１情報を受信し、
ＣＳＧ基地局以外の隣接基地局によって送信された信号の品質測定値を取得するとともに、取り得るハンドオーバ動作のために前記在圏基地局へ前記信号の品質測定値を報告し、
前記第１情報を無効にし、且つ前記ＣＳＧ基地局によって送信された信号の信号品質測定値を前記在圏基地局へ報告することを前記無線端末に知らせる第２情報を受信し、
前記ＣＳＧ基地局によって送信された信号の信号品質を測定するとともに、前記ＣＳＧ基地局の信号品質測定値を前記在圏基地局へ報告する
ように構成された電子処理回路を含む、前記無線送受信回路に結合されたデータ処理システム（６２）と
を備えることを特徴とする無線端末（２０）。
【請求項２４】
前記無線端末が前記ＣＳＧ基地局へハンドオーバする命令を受信した際に、前記ＣＳＧ基地局との通信を確立するように前記無線送受信回路へ命令するように前記電子回路が構成されたことを特徴とする請求項２３に記載の無線端末。
【請求項２５】
前記第２情報はＣＳＧセル識別子の範囲を含み、前記電子回路は、前記範囲内のセル識別子を有する任意のＣＳＧ基地局によって受信された信号品質を測定するとともに、前記ＣＳＧ基地局の信号品質測定値を前記在圏基地局へ報告するように構成されたことを特徴とする請求項２３に記載の無線端末。
【請求項２６】
前記無線端末が在圏基地局からのサービスを取得又は維持できない場合に、任意の近隣ＣＳＧ基地局により受信された信号の信号品質をスキャンし、サービスを提供する近隣ＣＳＧ基地局を選択するように前記電子回路が構成され、
認可ＣＳＧ基地局は非認可ＣＳＧ基地局よりも高い選択優先度を有する
ことを特徴とする請求項２３に記載の無線端末。
【請求項２７】
中央ノード（７０）であって、
在圏セルにサービスを提供する在圏基地局（１８，１９）と通信するとともに、ＣＳＧ（クローズド加入者グループ）に属する無線端末（２０）のみがＣＳＧセルからのサービスにアクセスして受信することを許される前記ＣＳＧセルにサービスを提供するＣＳＧ基地局と通信するインタフェース（７６）と、
複数の無線端末のそれぞれについて前記無線端末がサービスにアクセスして受信することを認可されたすべてのＣＳＧセルを識別するＣＳＧ認可リストを記憶するメモリ（７４）と、
前記無線端末がアクセスすることを認可されたＣＳＧセルを前記ＣＳＧ認可リストが含む場合に前記在圏セル内の一つの無線端末にサービスを提供する在圏基地局へＣＳＧ認可リストを提供するとともに、それ以外の場合に前記在圏基地局へ前記ＣＳＧ認可リストを提供しないように構成されたコントローラ（７８）と
を備えることを特徴とする中央ノード（７０）。
【請求項２８】
前記コントローラは、前記在圏セルに隣接し且つ前記無線端末がアクセスすることを認可されたＣＳＧセルのみを前記ＣＳＧ認可リストに含めるように構成されたことを特徴とする請求項２７に記載の中央ノード。
【請求項２９】
前記メモリは前記在圏セルについての隣接セル関係（ＮＣＲ）リスト（７２）を記憶し、前記コントローラはＣＳＧセルが隣接セルかどうかを判定するために前記ＮＣＲリストを用いることを特徴とする請求項２８に記載の中央ノード。
【請求項３０】
前記中央ノードは前記在圏基地局から前記在圏セルについての隣接セル関係（ＮＣＲ）リスト（７２）を受信するように構成され、
前記コントローラはＣＳＧセルが在圏セルの隣接セルかどうかを判定するために前記ＮＣＲリストを用いる
ことを特徴とする請求項２８に記載の中央ノード。
【請求項３１】
前記コントローラは前記ＣＳＧ認可リストを変更可能なように構成されたことを特徴とする請求項２７に記載の中央ノード。
【請求項３２】
前記ＣＳＧセルは前記無線端末がアクセスしてサービスを要求することを認可されているＣＳＧセルのＣＳＧネットワークの一部であり、各ＣＳＧネットワーク・セルは関連するセル識別子を有しており、
前記コントローラは、前記ＣＳＧネットワークについてＣＳＧセル識別子の範囲を判定し、前記在圏基地局へ前記ＣＳＧセル識別子の範囲を提供するように構成された
ことを特徴とする請求項２７に記載の中央ノード。
【請求項３３】
前記コントローラは前記無線端末がアクセスすることを認可された一つ以上のＣＳＧセルに関連するＣＳＧトラッキング・エリアを判定するように構成されるとともに、前記無線端末が前記在圏セルにアクセスしたことを前記中央ノードが通知された際に、前記ＣＳＧトラッキング・エリアが前記在圏セルのトラッキング・エリアに対応するかどうかを調べ、対応する場合に前記一つ以上のＣＳＧセルに関して前記在圏基地局へ通知するように構成されたことを特徴とする請求項２７に記載の中央ノード。
【請求項３４】
前記コントローラは前記無線端末がアクセスすることを認可された一つ以上のＣＳＧセルに関連するＣＳＧ  ＰＬＭＮ  ＩＤを判定するように構成されるとともに、前記無線端末が前記在圏セルにアクセスしたことを前記中央ノードが通知された際に、前記ＣＳＧ  ＰＬＭＮ  ＩＤが前記在圏セルに関連する互換性ＰＬＭＮ  ＩＤに対応するかどうかを調べ、対応する場合に前記一つ以上のＣＳＧセルに関して前記在圏基地局へ通知するように構成されたことを特徴とする請求項２７に記載の中央ノード。
【発明の詳細な説明】
【技術分野】
【０００１】
本技術分野は無線通信に関し、特にクローズド加入者グループの無線基地局を伴う無線通信に関する。
【背景技術】
【０００２】
典型的な無線通信システムにおいて、無線端末又はユーザ機器端末ＵＥと呼ばれる無線通信端末は無線アクセスネットワーク（ＲＡＮ）を介してインターネットのような他のネットワークと通信する。無線アクセスネットワーク（ＲＡＮ）はセルに分割された地理的エリアをカバーし、各セルは基地局例えば無線基地局（ＲＢＳ）によりサービスを提供され、無線基地局は一部のネットワークでは「ノードＢ」又は発展型ノードＢ「ｅノードＢ」とも呼ばれる。各基地局は典型的に複数のセルにサービスを提供する。一つの普及している配置は３セル基地局設備であり、基地局は三つのセルにサービスを提供する。無線端末は主にこの無線端末が存在する在圏セル内の在圏基地局によってサービスを提供される。一部の技術では、通信リンクは特定の無線端末とその在圏セルとの間に確立されるだけでなく、その無線端末と他のセルとの間にも確立される。この場合に、マクロ・ダイバーシチ又はソフト・ハンドオーバと呼ばれるものを用いて端末は複数の基地局によりサービスを提供される。
【０００３】
基地局は無線端末へ信号を送信し、無線端末から信号を受信する。信号は個別の無線端末への又は個別の無線端末からの専用信号と、セル内の無線端末の部分集合へ向けたマルチキャスト信号と、基地局からセル内のすべての無線端末への同報信号とのうちのいずれであってもよい。基地局は在圏セルの同報チャネルを用いてセル内のすべての無線端末に情報を同報する。
【０００４】
ブロードバンド・インターネット・サービスに接続されており、フェムトセルと呼ばれることもある非常に狭いエリアにカバレッジを提供する小規模基地局が近年導入されてきている。フェムトセルはＷｉＦＩの「ホットスポット」に似ているものの、無線ローカルエリアネットワーク（ＷＬＡＮ）ではなくセルラネットワークの一部である。フェムト基地局は大きな「マクロ」基地局が動作するだろうような多くの方法で動作するが、アパート、家、オフィスなどのような狭い空間に向けた低出力で遥かに小規模で動作する。「小さい」を意味するピコはこれらの小さな基地局の別名であり、この場合に、「フェムト」はさらに小さいことを意味する。フェムト基地局は、マクロ基地局塔の近接のせいで又は単に建築部材や信号を遮るその他の障害物のせいで、通常のマクロ基地局と移動体電話との間の信号品質が悪い狭い屋内や閉空間において、よりよい信号を提供する。アクセスに従来の基地局を用いる代わりに、移動体端末は、ＩＰアクセスネットワークへアクセスするために、フェムト基地局を通じてアクセスする。
【０００５】
図１は小規模基地局と従来のマクロ基地局とを含むセルラ通信システムの例を示す。第１の建物１はマクロ基地局３から無線信号を受信する無線端末２を含む。マクロ基地局３は直接に又は無線アクセスネットワーク４を通じてコアネットワーク５に結合される。コアネットワーク５はインターネット６又は他のネットワークへのアクセスを提供する。第２の建物７は小規模基地局９から無線信号を受信する別の無線端末８を含む。小規模基地局９は典型的には何らかのブロードバンド・アクセス・メカニズム（有線又は無線）を介して、直接に又は無線アクセスネットワーク４を通じてコアネットワーク５に結合されてもよい。繰り返しになるが、コアネットワーク５はインターネット６又は他のネットワークへのアクセスを提供する。小規模基地局は建物７の内部に位置しており、典型的には建物７の内部及び近隣にカバレッジを提供することが意図されているにすぎないため、その送信電力はより広い及び多様なカバレッジ範囲を有するマクロ基地局３のそれよりも相当に低くなり得つつ、なおも高データレートのサービスを提供する。
【０００６】
小規模基地局は普通、グループ内のユーザのみが小規模基地局からのサービスを受けられるように限定されたユーザ・グループを有する狭いセル・エリアにサービスを提供する。しばしば、顧客は小売店で小規模基地局に購入して、家、オフィス、学校などにおいてそれを電源とデータ・ネットワークとに接続することによって設置してもよい。これらの小規模基地局はホーム基地局、フェムト基地局、ピコ基地局などと呼ばれることもある。より大規模なマクロ基地局も限定されたユーザ・グループにのみアクセスを許可してサービスを提供してもよいが、小規模基地局はもっと典型的な例である。この出願について、限定されたユーザ・グループにのみアクセスを許可してサービスを提供する任意の基地局がクローズド加入者グループ（ＣＳＧ）基地局と呼ばれる。ＣＳＧ基地局は、限定された無線端末の集合にのみアクセスを許可する一つ以上のＣＳＧセルにサービスを提供する。ＣＳＧセルはまた、限定されたアクセスでネットワークをまとめるために、例えば企業ネットワークをサポートするために用いられてもよい。このように閉鎖又は限定されていない基地局は「オープン」基地局と呼ばれる。
【０００７】
現在のセルラ無線システムは例えば広帯域符号分割多元接続（ＷＣＤＭＡ）を用いて動作する第３世代（３Ｇ）汎用移動体通信システム（ＵＭＴＳ）や直交周波数分割多元接続（ＯＦＤＭＡ）を用いて動作するＵＭＴＳのロングターム・エボリューション（ＬＴＥ）のような第４世代（４Ｇ）システムを含む。ＬＴＥ及びシステム・アーキテクチャ・エボリューション（ＳＡＥ）標準化作業における一つの重要な注目エリアは、新たなネットワークが単純に配置され、費用効率が高く動作することを保証することである。このビジョンでは、新たなシステムは可能な限り多くの局面で自己最適化及び自己構成ができるだろう。このような側面の一つは、本質的には構成せずに、従来のマクロセル・レイヤと同一の周波数帯においてクローズド加入者グループ・セル（ＣＳＧセル）の自動結合・処理である。
【０００８】
ＣＳＧ基地局の設置は様々な期待により動機付けられてもよく、様々な問題を示す。例えば、自身のＣＳＧ基地局に接続するエンドユーザは、マクロ基地局に接続された場合と同一のサービスを受けつつも、マクロ・ネットワークに比較して高いコストパフォーマンスを達成することを期待する。ユーザはまた、マクロセルにキャンプした場合よりも高いデータレートと良好なサービス品質とを期待するかもしれない。別の期待は、ＣＳＧ基地局の容易で本質的に自動的な設置手順であり、これは認可ユーザに対して大規模な手動構成なしにＣＳＧ基地局への／ＣＳＧ基地局からのハンドオーバをサポートすることを含む。場合によってはマクロ基地局よりも低いセル管理能力を有するＣＳＧ基地局から一つの問題が生じ、従って承認及び認可機能の実行において堪能でないかもしれない。そうだとすると、ＣＳＧへの多くの非認可ハンドオーバ要求とこれへの応答である後続のハンドオーバ却下とが、ＣＳＧ基地局の性能を妨げるだろう。別の問題は、ＣＳＧ基地局を用いることを認可された新たなユーザの便利な追加に対する要望である。さらに、同一の事業者と特定の加入契約を有するすべてのユーザがＣＳＧ基地局の任意又はサブセットの使用を認可されているＣＳＧ基地局を事業者が販売できるとしたら有益である。
【０００９】
ＬＴＥ及びＷＣＤＭＡにおけるハンドオーバは移動体により支援されている。すなわち、移動体端末が自身の在圏基地局に、在圏基地局から受信した信号及びハンドオーバ「候補」の基地局に関連するその他の代替セルから受信した信号の品質（例えば信号強度）の測定値を報告することを意味する。その他の代替セルはセル識別子で識別される。このような物理的識別子の非限定的な例は、ＷＣＤＭＡにおけるセルのダウンリンク・スクランブル・コード番号及びセルの基準信号波形を表すＬＴＥにおける物理セル識別子である。これは、無線端末が（基地局が複数のセルにサービスを提供すると想定して）同一の基地局によってサービスが提供される別のセルを報告してもよいし、異なる基地局によってサービスが提供される別のセルを報告してもよいことを意味する。
【００１０】
隣接セル関係リストは、ハンドオーバについて関連する（例えば隣接する）候補セルを一覧にした、セルに関連するリストである。各候補セルについて、リスト情報は、物理セル識別子とグローバル一意セル識別子との両方を含むセル識別子と、例えば在圏基地局と候補セルにサービスを提供する基地局との間でどのように通信リンクが確立され得るかといった接続情報と、例えばＣＳＧセル、マクロセル、マイクロセルなどといったセル・タイプ情報とを含む。隣接セル関連リストは基地局に記憶されてもよいが、他のノードに記憶されてもよく、場合によっては各ノード内のリストが定期的に更新／同期される。
【００１１】
無線端末の測定値報告の送信は一般的にトリガされる。すなわちイベントでトリガされ、周期的イベントでトリガされ、又は周期的にトリガされる。イベントでトリガされる報告について、無線端末は、構成された基準を満たした場合に自身の在圏基地局へ報告を送信する。このような基準の一つの例は、所定の時間内に、在圏セルと所定のオフセットとの間の範囲内の新たなセルの品質が測定されることである。所定の時間とオフセットとは在圏基地局によって無線端末へ提供される。このような基準の別の例は、在圏セルと所定のオフセットとの間の範囲内に以前はあったセルが所定の時間にその範囲外に移動することである。イベントでトリガされる報告は、イベントのトリガの際に一つの測定値報告をもたらす。周期的イベントでトリガされる報告について、イベントのトリガの後に、無線端末は、所定数の期間について、又は異なるトリガ状態を満たすまでの間、周期的に測定値報告を送信し続ける。周期的な報告について、無線端末は定期的に測定値を報告する。これは典型的にＧＳＭのような第２世代システムの場合である。
【００１２】
トリガ・イベントを満たしているかどうかを調査する際に、無線端末は典型的にすべてのセルを考慮する。一方、アクセスが禁止されていることを何らかの形で示されている代替セルを移動体端末が考慮及び報告しないことが好ましい。様々なセルの禁止状態を通信する一つの方法は、在圏基地局が在圏セルの同報チャネルでセルのブラックリストを同報する（すなわち在圏セルがセル識別子のブラックリストを同報する）ことである。別の方法は、無線端末が、在圏セルの同報チャネルで在圏基地局によって同報された「ホワイト」リストに含まれるセルのみを報告することである。ホワイトリストは逆ブラックリストとしてみなされ得る。ブラックリスト上に多くのセルが存在する場合に、ホワイトリストを通知することがより効率的であるかもしれず、またその逆も成り立つ。第３の方法は、禁止セルにサービスを提供する各基地局が禁止セルの同報チャネル上で、禁止セルはアクセスを禁止されており、すべての無線端末はセルを報告する前にこの指示をしらべる必要があることを示すメッセージを同報することである。このような指標の例は「セル規制（Cell Barred）」、「セル限定（Cell Restricted）」又は「ＣＳＧセル」である。
【００１３】
同様に、ＣＳＧ基地局に対して多くの不必要なシグナリング処理負荷の可能性が存在する。ＣＳＧ基地局が典型的な「オープン」基地局として配置された場合に、ＣＳＧ基地局はＣＳＧの一部ではない非認可無線端末についての多くのハンドオーバ要求を処理しなければならず、その結果としてこれらの要求の却下もしなければならない。これはＣＳＧ基地局に対して重大且つ不必要な処理負荷を生む。
【００１４】
代替案は、マクロセルのＰＬＭＮ識別子とは異なる専用ＰＬＭＮ識別子をＣＳＧセル−ＰＬＭＮ識別子へ割り当てることである。そして、ＣＳＧセルへのアクセスを有する無線端末は、許可ＰＬＭＮの集合の中からリストされたＣＳＧセル識別子とマクロセルＰＬＭＮ識別子との両方を有するものの、他の無線端末はリストされたマクロセルのＰＬＭＮ識別子を有するだけである。結果として、ＣＳＧセルへのアクセスを有する無線端末のみがこのセルにローミングできる。一意なＰＬＭＮ識別子を各ＣＳＧセルに割り当てることは実現できないため、一つのアプローチでは同一のＰＬＭＮ識別子をすべてのＣＳＧセルに割り当てることである。これは、無線端末が一つのＣＳＧセルへのアクセスを有する場合に、同一の事業者に関連する他のすべてのＣＳＧセルへもアクセスを有することを意味する。しかし、このアプローチは、家族の全構成員又は会社の全従業員のような、より限定されたユーザ集合を有するＣＳＧセルをサポートしない。
【発明の概要】
【発明が解決しようとする課題】
【００１５】
多くのＣＳＧセルを有するエリアにおいて、無線端末は、他のＣＳＧセルが無線端末の「自身の」ＣＳＧセルすなわちそのＣＳＧセルに含まれる無線端末及び他の無線端末にサービスを提供するように個別に実装されたＣＳＧよりも良好な候補であるかもしれない可能性とともに複数のＣＳＧセル代替を考慮しなければならないかもしれない。この場合に、無線端末の自身のＣＳＧセルは無線端末からの信号品質測定値報告にリストさえされていないかもしれず、これは無線端末を含むＣＳＧを確立する主な目的を困難にする。
【課題を解決するための手段】
【００１６】
無線端末接続は、在圏基地局からＣＳＧ（クローズド加入者グループ）基地局によりサービスが提供されるＣＳＧセルへハンドオーバされ得る。ＣＳＧに属する無線端末（２０）のみがＣＳＧセルからのサービスにアクセスして受信することを許可されている。在圏セル内の無線端末は、一般にＣＳＧ基地局により送信された信号の信号品質測定値を在圏基地局へ報告しないことを通知される。在圏セル内の無線端末がＣＳＧセルからのサービスにアクセスして受信することを認可されていることが判定された場合に、在圏基地局への候補セルの信号品質測定値の報告トリガを評価する際にＣＳＧセルも考慮するように無線端末に命令するメッセージを在圏基地局は送信する。ＣＳＧセルの報告トリガの際に、（ＣＳＧセルがハンドオーバ候補であることを無線端末が判定し、）ＣＳＧセルについての信号品質測定値報告が在圏基地局によって一つの無線端末から受信される。受信された報告及び場合によっては後続の報告に基づいて、一つの無線端末との接続がＣＳＧ基地局へハンドオーバされ得ることが決定されてもよい。非認可無線端末はＣＳＧセルについての測定値を報告しないため、在圏基地局におけるハンドオーバ・メカニズムは、無線端末がアクセスを有しないセルへの無線端末のハンドオーバを開始するリスクを負うことなく、すべての報告されたセルへ同一のハンドオーバ・メカニズムを適用できる。
【００１７】
非限定的な例において、ＣＳＧ基地局により送信された信号の信号品質測定値を在圏基地局へ報告しないように無線端末に命令する情報は在圏セル内で同報されてもよく、情報が報告されるべきでないセルを識別するリスト又は情報が報告されるべきセルのみを識別するセルのリストを含んでもよい。リストが変更された場合に、変更済セル・リストが在圏セルにおいて同報されてもよい。
【００１８】
非限定的な例において、ＣＳＧセルがＣＳＧへの限定されたアクセスを有することを示す第１メッセージを用いて、ＣＳＧ基地局によって送信された信号の信号品質測定値を在圏基地局へ報告しないことを無線端末は通知してもよい。このような指標の例は規制セル、限定セル又はＣＳＧセルである。
【００１９】
非限定的な例において、無線端末の在圏セルへの確立された隣接セル関係をＣＳＧセルが有するＣＳＧセルへのアクセスを有する無線端末は、在圏基地局への測定値報告においてＣＳＧ基地局によって送信された信号の信号品質測定値を無線端末も含むべきという第２メッセージを用いて在圏基地局によって通知されてもよい。例えば、在圏基地局からの第２メッセージは情報が報告されるべきではないセルを識別する専用リストを無線端末に提供し、このリストは無線端末がアクセスを有するすべてのＣＳＧセルを排除し、又はセルのリストは無線端末がアクセスを有するすべてのＣＳＧセルを含む情報が報告されるべきであるセルのみを識別する。
【００２０】
別の非限定的な例では、在圏基地局からの第２メッセージは、リストされたＣＳＧセルがアクセスを禁止されていることを示しているとしても、イベントでトリガされた測定値報告において無線端末が考慮すべきＣＳＧセルを識別するリストを提供してもよい。これに代えて、ＣＳＧセルを識別するリストはセル識別子又はセル識別子の範囲のリストであってもよい。
【００２１】
送信する工程は、イベントでトリガされた報告においてＣＳＧ基地局によって送信された信号の信号品質測定値を無線端末が考慮すべきことを示す後続する第２メッセージを無線端末へ送信する工程を含んでもよい。第１メッセージは在圏基地局又はＣＳＧ基地局によって送信されてもよい。
【００２２】
非限定的な例では、判定する工程は、在圏基地局に結合された中央ノードから、無線端末に関連するＣＳＧセル（群）の認可リストを受信する工程を含んでもよい。これは、リストされたＣＳＧセル（群）からのサービスにアクセスして取得することを無線端末が認可されていることを意味する。判定する工程は、リストされたＣＳＧセル（群）と在圏セルの隣接セル関係リスト内のＣＳＧセル（群）とを比較する工程を含んでもよい。
【００２３】
別の非限定的な例では、判定する工程は、在圏基地局へ結合された中央ノードにおいてフィルタする工程を含んでもよい。中央ノードは無線端末に関連するフィルタされたＣＳＧセルの認可リストを送信する。無線端末はリストされたＣＳＧセル（群）からのサービスにアクセスして取得することが認可されている。すべてのリストされたＣＳＧセルは在圏セルの隣接セル・リストのメンバーである。
【００２４】
非限定的な例では、フィルタする工程は、在圏セルの隣接セル関係リストと一つの無線端末識別子とを中央ノードへ送信する工程と、在圏セルの隣接セル関連リスト内のすべてのＣＳＧセルの認可リスト内の無線端末識別子と一つの無線端末識別子とを比較する工程と、無線端末がアクセスを有し、サービスを取得してもよいＣＳＧセルのリストを形成する工程とを含んでもよい。
【００２５】
別の非限定的な例では、フィルタする工程は、中央ノードに結合されたすべての基地局によってサービスが提供されるすべてのセルの隣接セル関係リストのコピーと、各ＣＳＧセルについての無線端末の認可リストとを中央ノードが維持する工程を含んでもよい。中央ノードは在圏基地局から在圏セルの隣接セル関連リスト内のすべてのＣＳＧセルの認可リスト内の無線端末識別子と一つの無線端末識別子とを比較する一つの無線端末識別子を受信し、この比較に基づいて、無線端末がアクセスを有しサービスを取得するＣＳＧセルのリストを形成する。
【００２６】
ＣＳＧセルは、無線端末がアクセスしてサービスを要求することを認可されているＣＳＧセルのＣＳＧネットワークの一部であってもよく、各ＣＳＧネットワーク・セルは関連するセル識別子を有している。このような場合において、判定する工程は、在圏基地局に結合された中央ノードからＣＳＧセル識別子の範囲を受信する工程を含む。
【００２７】
非限定的な例では、判定する工程は、以前の在圏基地局から無線端末に関連するＣＳＧセル（群）の認可リストを受信する工程を含んでもよい。これは、無線端末がリストされたＣＳＧセル（群）からのサービスにアクセスして取得することを認可されていることを意味する。認可ＣＳＧセルのいずれかが起こりえるハンドオーバ候補であるかどうかを判定するために在圏セルの隣接セル関係リスト内のＣＳＧセル（群）とリストされたＣＳＧセル（群）とを無線端末は比較してもよい。第１基地局によってサービスが提供される第１セルから第２基地局によってサービスが提供される第２セルへの無線端末の接続のハンドオーバが生じる場合に、第１基地局はターゲット第２基地局へＣＳＧセル（群）の認可リストを送信してもよい。非限定的な例では、中央ノードはホーム加入者サーバ（ＨＳＳ）のような加入者及び加入契約の情報を有するデータベースであってもよく、ＣＳＧセルの認可リストはネットワークとのコンタクトが開始される際にＨＳＳから受信されてもよい。他の加入契約情報データベースの例は、ホーム・ロケーション・レジスタ（ＨＬＲ）、在圏ロケーション・レジスタ（ＶＬＲ）及びゲートウェイ・ロケーション・レジスタ（ＧＬＲ）を含む。ＨＳＳという用語は加入者及び加入契約の情報のデータベースを代表するものとして用いられるだろう。他の基地局への後続するハンドオーバの間に、ＣＳＧセルの認可リストはターゲット基地局へ転送される。
【００２８】
セルにサービスを提供する在圏基地局と通信する無線端末が提供される。無線端末はＣＳＧ（クローズド加入者グループ）基地局によりサービスが提供されるＣＳＧセルに属している。ここでもやはり、ＣＳＧに属する無線端末のみがＣＳＧセルからのサービスにアクセスして受信することを許可されている。無線端末は、無線送受信回路と、無線送受信回路に結合され且つ電子回路を含むデータ処理システムとを含む。この回路は隣接基地局によって送信された信号の品質測定値を取得し、起こり得るハンドオーバ動作のためにマクロ基地局へ信号品質測定値を報告する。端末は最初にＣＳＧ基地局によって送信された信号の信号品質測定値をマクロ基地局へ報告しないことを無線端末に知らせる第１情報を受信し、あとから、第１情報を無効にし、且つＣＳＧ基地局によって送信された信号の信号品質測定値をマクロ基地局へ報告することを無線端末に知らせる第２情報を受信する。本回路は、ＣＳＧ基地局によって送信された信号の信号品質を判定するとともに、ＣＳＧ基地局の信号品質測定値をマクロ基地局へ報告する。
【００２９】
非限定的な例では、無線端末がＣＳＧ基地局へハンドオーバする命令を受信した際に、ＣＳＧ基地局との通信を確立するように無線送受信回路へ電子回路が命令する。
【００３０】
非限定的な例では、第２情報はＣＳＧセル識別子の範囲を含む。電子回路は、範囲内のセル識別子を有する任意のＣＳＧ基地局によって受信された信号品質を測定するとともに、測定値報告トリガにおいてＣＳＧ基地局の信号品質測定値を考慮する。
【００３１】
非限定的な例では、無線端末が在圏基地局からのサービスを取得又は維持できない場合に、電子回路は任意の近隣ＣＳＧ基地局により受信された信号の信号品質をスキャンし、サービスを提供する近隣ＣＳＧ基地局の一つを選択してもよい。好適には認可ＣＳＧ基地局は非認可ＣＳＧ基地局よりも高い選択優先度が割り当てられる。
【００３２】
中央ノードは、ＣＳＧ（クローズド加入者グループ）基地局を含む基地局と一般に通信するインタフェースと、ＣＳＧセルからのサービスにアクセスして受信することを認可された無線端末を識別するＣＳＧ認可リストを記憶するメモリとを含む。本ノードのコントローラは、在圏セルへの隣接セルであり且つ無線端末がアクセスすることを認可されたＣＳＧセルをＣＳＧ認可リストが含む場合に、基地局の在圏セル内の無線端末にサービスを提供する基地局へＣＳＧ認可リストを提供する。それ以外の場合に、コントローラは在圏基地局へＣＳＧ認可リストを提供しない。コントローラはＣＳＧ認可リストへの変更を許可してもよい。メモリはまた在圏セルについての隣接セル関係（ＮＣＲ）リストを記憶し、コントローラはＣＳＧセルが隣接セルかどうかを判定するためにＮＣＲリストを用いる。コントローラは在圏基地局から無線端末ＩＤを受信してもよい。コントローラはまた、在圏基地局からＮＣＲリストを受信してもよい。
【００３３】
一つの非限定的な例では、ＣＳＧセルは無線端末がアクセスしてサービスを要求することを認可されているＣＳＧセルのＣＳＧネットワークの一部であり、各ＣＳＧネットワーク・セルは関連するセル識別子を有している。ＣＳＧ識別子のリストを判定する代わりに、コントローラはＣＳＧネットワークについてＣＳＧセル識別子の範囲を判定し、在圏基地局へＣＳＧセル識別子の範囲を提供する。
【００３４】
別の非限定的な例では、コントローラは無線端末がアクセスすることを認可された一つ以上のＣＳＧセルに関連するＣＳＧトラッキング・エリアを判定する。無線端末が在圏セルにアクセスしたことを中央ノードが通知された際に、コントローラは、ＣＳＧトラッキング・エリアが在圏セルのトラッキング・エリアに対応するかどうかを調べ、対応する場合に一つ以上のＣＳＧセルに関して在圏基地局へ通知する。
【００３５】
別の非限定的な例では、コントローラは無線端末がアクセスすることを認可された一つ以上のＣＳＧセルに関連するＣＳＧ  ＰＬＭＮ  ＩＤを判定する。無線端末がマクロセルにアクセスしたことを中央ノードが通知された際に、コントローラはＣＳＧ  ＰＬＭＮ  ＩＤがマクロセルに関連する互換性ＰＬＭＮ  ＩＤに対応するかどうかを調べ、対応する場合に一つ以上のＣＳＧセルに関してマクロ基地局へ通知する。
【図面の簡単な説明】
【００３６】
【図１】セルラ通信システムにおけるマクロ基地局及び小規模基地局を説明する。
【図２】マクロセル及びＣＳＧセル並びに基地局を有するセルラ通信システムを説明する。
【図３】マクロ基地局及びＣＳＧ基地局を含む例示のＬＴＥ移動体無線端末システムの機能ブロック図である。
【図４】基地局の非限定的な例示の機能ブロック図である。
【図５】無線端末の非限定的な例示の機能ブロック図である。
【図６】セル・リストを記憶する中央ノードの非限定的な例示の機能ブロック図である。
【図７】ＣＳＧ基地局へのハンドオーバをサポートするＣＳＧセル処理についての非限定的な例示のシグナリング手順を説明するシグナリング図である。
【図８】別の方法で図７の例を説明する。
【発明を実施するための形態】
【００３７】
以下の説明において、説明及び非限定を目的として、説明される技術の理解を提供するために特定のノード、機能要素、技術、プロトコル、基準などのような固有の詳細が説明される。他の例において、周知の方法、装置、技術などの詳細な説明は、不必要な詳細で本明細書を妨害しないように省略される。個別の機能ブロックが図では示される。当業者は、これらのブロックの機能が個別のハードウェア回路を用いて実装されてもよいし、適切にプログラムされたマイクロプロセッサ又は汎用コンピュータと連動してソフトウェア・プログラム及びデータを用いて実装されてもよいし、特定用途向け集積回路（ＡＳＩＣ）、プログラマブル論理アレイを用いて実装されてもよいし、及び／又は一つ以上のディジタル信号プロセッサ（ＤＳＰ）を用いて実装されてもよいことを理解するだろう。
【００３８】
図２はマクロセル及びＣＳＧセル並びに基地局を有するセルラ通信システムを概念的に説明する。この単純化された例では二つの隣接するマクロセルＭ１、Ｍ２が示され、マクロ基地局Ｍａｃｒｏ  ＢＳ１、Ｍａｃｒｏ  ＢＳ２に対応する。マクロセルＭ１内にＣＳＧセル１があり、関連する自身のＣＳＧ基地局ＣＳＧ  ＢＳ１を有する。関連する自身のＣＳＧ基地局ＣＳＧ  ＢＳ２を有する第２のＣＳＧセル２がマクロセルＭ１に隣接する。これらの基地局のそれぞれからＵＥ／無線端末に届く同報無線信号がＲ１−Ｒ４で示されている。マクロＢＳ１が無線端末に現在サービスを提供している基地局であると想定し、無線端末はＭａｃｒｏ  ＢＳ２、ＣＳＧ  ＢＳ１及びＣＳＧ  ＢＳ２についての受信信号品質測定値報告を在圏基地局Ｍａｃｒｏ  ＢＳ１に送信する能力を有する。無線端末がＣＳＧセル１又はＣＳＧセル２のより近くに移動した場合に、無線端末がそのセルのＣＳＧのメンバーであるかどうかに依存して、これらのＣＳＧセルの一つにハンドオーバする機会がある。
【００３９】
本出願の技術はＬＴＥシステムによく適しており、従って説明のために例示の及び非限定的な文脈を提供するためにＬＴＥシステムの文脈において説明される。しかし、この技術は任意の近年のセルラ通信システム、例えばＷＣＤＭＡ等において用いられてもよく、ＬＴＥに限定されない。図３はＬＴＥタイプの移動体通信システム１０の例を説明する。Ｅ−ＵＴＲＡＮ１２は、Ｅ−ＵＴＲＡＮのノードＢ（ｅノードＢ）１８（一つのみ示される）を含み、ノードＢ１８は、無線インタフェースを通じてユーザ機器（ＵＥ）端末２０に対してＥ−ＵＴＲＡのユーザ・プレーン及び制御プレーンのプロトコル終端を提供する。二つのＣＳＧ基地局１９も示される。基地局１８、１９は、移動管理エンティティ（ＭＭＥ）を含む発展型パケットコア（ＥＰＣ）１４及びシステム・アーキテクチャ・エボリューション（ＳＡＥ）ゲートウェイとＳ１インタフェースを介して通信する。ＭＭＥ／ＳＡＥゲートウェイはこの例では単一ノード２２として示され、多くの点でＵＭＴＳ及びＧＳＭ／ＥＤＧＥにおけるＳＧＳＮ／ＧＧＳＮに類似する。しかし、ＭＭＥとＳＡＥとは個別のノードであってもよい。ＭＭＥ／ＳＡＥゲートウェイ同士はＳ１０インタフェースを介して通信してもよい。ＭＭＥ／ＳＡＥは例えば隣接セル関係（ＮＣＲ）リスト、セル・ブラックリスト及びセル・ホワイトリストの少なくとも何れかを含む基地局についてのセル・リストを記憶するメモリ２３を含んでもよい。Ｅ−ＵＴＲＡＮ１２とＥＰＣ１４とは一緒になって公衆地上移動体ネットワーク（ＰＬＭＮ）を形成する。ＭＭＥ／ＳＡＥゲートウェイ２２は直接に又は間接にインターネット１６及びその他のネットワークに接続される。基地局１８、１９は場合によってはＭＭＥ／ＳＡＥ２２を介してホーム加入者サーバ（ＨＳＳ）２４と通信してもよい。
【００４０】
無線ネットワークはしばしば効率的な測定手順をサポートするためにグローバル一意セル識別子だけでなく基地局／セルの一意でない物理識別子を用いる。説明されるＬＴＥの例示の実施形態について、各セルに対してセル・グローバル識別子（ＣＧＩ）と呼ばれる一意な識別子と、ＰＬＭＮ内の各セルに対して一意であるほど長くはない物理セル識別子（ＰＣＩ）と呼ばれる、同一セルに対する物理レイヤ１識別子とが存在すると想定する。ＬＴＥにおいて、現在の例示の想定は、１６８個のセル・グループ識別子と各グループ内の３個の識別子を組み合わせた５０４個の一意なＰＣＩ値を有するということである。受信信号品質測定値について、無線端末は、基地局の基準シンボル受信電力（ＲＳＲＰ）を測定するために、受信基地局同報基準シンボルを監視する。これらの測定値はハンドオーバだけでなく初期セル選択を実行する際にも用いられる。従って、各無線端末の観点から、無線端末が検出可能なＰＣＩと、ＣＧＩとの間のローカルな１対１のマッピングが存在することが重要である。これは、無線端末が自身の在圏基地局にＰＣＩを報告する際に、在圏基地局は、セル関係が確立されている場合に、報告されたＰＣＩを在圏セル隣接セル関連リスト内のエントリに関連付けることができることを意味する。ＷＣＤＭＡシステムにおいて、ＰＣＩは「スクランブルコード」に対応してもよく、一つの例では５１２個の相異なるスクランブルコードが存在する。
【００４１】
図２、３に示されるシステム及び他の類似する種類のシステムにおいて、自身のＣＳＧセルを検索する無線端末に関連するリソースを減らすとともに、無線端末が認可されない限り不必要なＣＳＧセル測定及び報告を制限する技術がここで説明される。これはネットワーク全体の性能を改善する。ＢＳからＣＳＧセルへのハンドオーバの間に無線端末がサポートされる一方で、同時にネットワーク内のすべての無線端末に非認可ＣＳＧセルにおける測定及び報告を実行させることから生ずる否定的な影響を実質的に低減する。
【００４２】
一つの非限定的な例示の実施形態では、すべてのＣＳＧ基地局は、ＣＳＧセルがＣＳＧへの制限されたアクセスを有することを示す指標をＣＳＧセルの同報チャネル上で同報する。このような指標の例は、規制セル（barred cell）、限定セル（restricted cell）又はＣＳＧセルである。測定値報告トリガにおいて特定のＣＳＧセルに関連する信号品質測定値を考慮することを無線端末に命令する個別の命令が在圏基地局から無線端末へ送信されない限り、無線端末はこのような同報チャネル内の指標を含むＣＳＧセルから受信した同報信号の信号品質を報告すべきでないという汎用ルールを指標は実装する。別の非限定的な例示の実施形態では、在圏基地局は、在圏セルの同報チャネル上で、在圏セルへの隣接セルとして登録されたすべてのＣＳＧセルの物理セル識別子（例えばＬＴＥのＰＣＩ）を含む「ブラックリスト」を同報する。これは非認可無線端末からのＣＳＧからの測定値の報告を防ぐ。無線端末への同種のメッセージを通信する他の技術があり得る。
【００４３】
所望の場合に、在圏基地局は一つ以上の無線端末へ、ＣＳＧにサービスを提供するＣＳＧ基地局がＣＳＧセルの同報チャネル上でＣＳＧセルがＣＳＧへの制限されたアクセスを有すること若しくは在圏セル同報チャネル上で在圏基地局によって同報された「ブラックリスト」でＣＳＧセルが特定されること又はその他の方法で禁止セルとして特定されることを示す指標を同報したとしても、測定値報告トリガにおいて個別のＣＳＧセルに関連する測定値を考慮すべきであることを通知するメッセージを送信してもよい。このような指標の例は規制セル、限定セル又はＣＳＧセルである。さらに、「ブラックリスト」はまた、個別の無線端末へ専用の方法で通知されてもよい。
【００４４】
ブラックリストで用いられるこの禁止セル情報は、基地局によりサービスが提供されるセルへ無線端末が接続された際、例えばセルへのハンドオーバが成功した後又はセルでの無線端末の登録の後に、基地局によって取得されてもよい。同時に、在圏基地局は中央ノード（例えばＬＴＥのＭＭＥ又はＷＣＤＭＡのＳＧＳＮ若しくはＨＳＳのような加入者及び加入契約情報のデータベース）で、マクロ基地局に隣接する任意のＣＳＧセルへのアクセスについて無線端末が認可されているかどうかを調べる。中央ノードはこれらの隣接ＣＳＧセルのリストを在圏基地局に通知する。次いで、無線端末が在圏基地局の隣接セル関係（ＮＣＲ）リスト上の一つ以上のＣＳＧセルへアクセスすることが認可されている場合に、ＣＳＧセルにサービスを提供するＣＳＧ基地局がＣＳＧセルの同報チャネル上でＣＳＧセルがＣＳＧへの限定されたアクセスを有すること又はこれらのセルが「ブラックリスト」で特定されたことを示す指標を同報するとしても、在圏基地局は、測定値報告トリガにおいてリストされたもの及び認可されたＣＳＧセルを考慮することを無線端末に要求する命令を無線端末へ送信する。在圏基地局は以前の任意のブラックリストを置き換える新たな「ブラックリスト」を無線端末へ送信することによって、ブラックリストを更新してもよい。このようにして、認可された無線端末のみが測定値報告トリガにおいてＣＳＧセルを「候補セル」として考慮する。非認可無線端末は測定値報告トリガにおいてＣＳＧセルを考慮しない。
【００４５】
ブラックリストで用いられる禁止セル情報はまた、無線端末登録の間にＨＳＳのような中央ノードから基地局によって取得されてもよい。次いで、この禁止セル情報はハンドオーバの間に例えばメッセージ「コンテナ」を用いて次のターゲット基地局へと渡される。ここで、無線端末に関連する情報は、ハンドオーバの間に一つの在圏基地局から次のターゲット基地局へとメッセージ・コンテナに含めて転送され得る。
【００４６】
隣接セル関連リストを実装する非限定的な例示の方法は、本発明の譲受人に譲渡された２００７年２月２８日に出願された「無線通信ネットワークにおけるセル隣接の自己構成及び最適」という名称のＰＣＴ出願第ＰＣＴ／ＥＰ２００７／００１７３７号と、本発明の譲受人に譲渡された２００８年５月に出願された「隣接セル関係リストの初期化」という名称の米国出願に説明されており、これらの開示は参照してここに組み込む。中央ノードに記憶されたＣＳＧと認可無線端末との間の関連情報は事業者、ＣＳＧセルの所有者などによってユーザ・インタフェースを介してアクセス又は変更されてもよい。
【００４７】
好適には在圏基地局は無線端末測定値報告を処理し、これらがＣＳＧセルに付随するか別のマクロセルに付随するかに関わらずハンドオーバ手順を行う。しかし、ターゲット・セル例えばＣＳＧセルのタイプに調整されたハンドオーバ手順が用いられてもよい。
【００４８】
マクロセルのカバレッジ外で無線端末がセル選択を実行する際に、マクロセルのカバレッジが存在する場合の汎用ルールに反して、無線端末は、制限され、禁止され、又はブラックリストに載ったセルをセル接続候補として考慮してもよい。無線端末は、自身のＣＳＧセルに接続する最初の試行で自身のＣＳＧセル識別子の値（例えばＰＣＩ）を追跡してもよい。次いで、それが失敗した場合に、無線端末は検出可能な他のＣＳＧセルとの接続を試してもよい。なぜなら、無線端末が気づいていない他のＣＳＧセルは認可されないかもしれないからである。ＬＴＥの文脈では、無線端末が接続することを認可されているＣＳＧセルの現在のＰＣＩ値について無線端末に通知するようにコアネットワーク・ノードと無線端末との間の現行の非アクセス・ストラタム（ＮＡＳ）プロトコルが拡張されてもよい。別の代替例では、この情報を含むショート・メッセージ・サービス（ＳＭＳ）又はマルチメディア・メッセージ・サービス（ＭＭＳ）のメッセージ若しくは同様のものを無線端末へ送信する。
【００４９】
図４はオープン基地局１８とＣＳＧ基地局１９とのいずれであってもよい基地局の非限定的な例示の機能ブロック図である。基地局１８、１９は無線インタフェースを介して無線端末と通信する一つ以上のアンテナ３０に結合した一つ以上の無線送受信器３２を含む。無線送受信器（群）３２はデータ処理システム３４に接続しており、データ処理システム３４は無線送受信器（群）３２を介して送信される情報と無線送受信器（群）３２から受信された信号とにベースバンド処理を実行するベースバンド・プロセッサ３６を含む。データ処理システム３４はセル報告プロセッサ３８も含み、セル報告プロセッサ３８は送受信器（群）３２から、無線信号品質測定値と、場合によってはサービスを受ける無線端末だけでなく、ハンドオーバで用いられるセル選択手順と隣接セル関係リストの生成で用いられるセル選択手順においてアクセスを開始する無線端末からのスキャンされた同報情報とを受信する。隣接セル関係リストはメモリ４０に記憶される。基地局は一つ以上のインタフェース４２を介して他のネットワーク・エンティティと通信する。
【００５０】
無線端末の認可はインタフェース４２を介したシグナリングに基づく。さらに、新たな隣接セルの発見の後に、新たなセルにサービスを提供する基地局への接続情報だけでなく、セルに関する他の情報、例えばセル・タイプを確立するために、インタフェース４２を通じた通信が続く。候補セルが報告された際に、セル報告プロセッサ３８は、送受信器３２から測定値を受信することによって、候補セルを監視し続けてもよい。候補セルに関連する測定値はハンドオーバ・プロセッサ４３へ送信され、ハンドオーバ・プロセッサ４３はハンドオーバが有益であると考えられるかどうか及びそれはいつかを判定する。ハンドオーバ・プロセッサ４３がハンドオーバを開始すると判定した場合に、ハンドオーバ手順は、送受信器３２を用いた無線端末とのシグナリング、インタフェース４２の一つを介した次の在圏基地局とのシグナリング、及びインタフェース４２の一つを介したコアネットワーク・ノードとのシグナリングを介して実行される。
【００５１】
図５は、無線端末の非限定的な例示の機能ブロック図である。無線端末２０は、無線インタフェースを介して基地局と通信する一つ以上のアンテナ５８に結合された無線送受信器６０を含む。無線送受信器６０はデータ処理システム６２に接続しており、データ処理システム６２は、無線送受信器６０を介して送信される情報と無線送受信器６０から受信された信号とにベースバンド処理を実行するベースバンド・プロセッサ６４を含む。データ処理システム６２はまた無線信号測定プロセッサ６６を含み、無線信号測定プロセッサ６６は無線信号品質を測定するとともに場合によってはこれをフィルタし、場合によってはＣＳＧ基地局を含む隣接基地局からの同報信号とこの信号に含まれる情報とをスキャンし、在圏基地局により構築される基準を評価することによって測定値報告トリガを実行する。トリガ条件が満たされた場合に、測定プロセッサは測定値報告を在圏基地局へ送信する。上述のように、測定値報告トリガにおいて、測定値プロセッサ６６は、限定されており且つ限定されていたとしても個別に考慮するように在圏基地局が無線端末へ命令しているわけではないＣＳＧセル以外のすべてのセルを考慮する。無線端末２０はまた、ユーザが無線端末をプログラムすること及び無線端末と通信することを可能にするユーザ・インタフェースを含む。
【００５２】
図６は中央ノード７０の非限定的な例示の機能ブロック図である。中央ノード７０は監視のデータ処理及び制御機能を実行するコントローラ７８を含み、適切なインタフェース７６を介して他のネットワーク・ノードと通信する。ＣＳＧセル−無線端末認可リスト７４と、オプションとしてネットワーク内の様々なセルについての隣接セル関連リスト７２及びその他のリストを記憶するためのデータベースのようなメモリが提供される。ＣＳＧセル−無線端末認可リスト７４は、場合によっては別の中央ノード内の情報とリストを同期化することによって、インタフェース７６を介して更新される。無線端末の識別子（例えばＩＭＳＩ）は、ネットワーク事業者とＣＳＧ基地局の所有者とのいずれかによってＣＳＧセル−無線端末認可リスト７４から追加／置換／除去されてもよい。これは例えば後で無線端末ＩＭＳＩに変換される電話番号を識別子として用いることによって、事業者ウェブ・インタフェースを介して行われ得る。一つのセルの隣接セル関連リストはこの一つのセルにサービスを提供する基地局と同期され得る。
【００５３】
図７は、非限定的な例としてＬＴＥアーキテクチャを想定して、基地局からＣＳＧ基地局へのハンドオーバをサポートするＣＳＧセル処理についての非限定的な例示の信号処理を説明するシグナリング図である。図８は図７の例の説明を助ける。中央ノード（ＬＴＥについてこれはＭＭＥであり得る）は、基地局によりサービスが提供されている特定の無線端末についての認可ＣＳＧセルを在圏セルに通知するために、在圏基地局へ認可ＣＳＧセル・リスト・メッセージを送信する。このシグナリングは図８の例では「Ａ」で表される。在圏基地局は、ＣＳＧセルが規制又は限定され、若しくは在圏セルの同報チャネルを通じて在圏基地局によって総括的に同報されるブラックリストに含まれたとしても、測定値報告トリガにおいてＣＳＧセルの集合を考慮することを無線端末に命令する測定値制御信号、例えば認可ＣＳＧセルのセル識別子のリスト又は範囲を含む報告規制／制限／ＣＳＧセルを特定の無線端末へ送信する。このシグナリングは図８の例では「Ｂ」で表される。無線端末はこの命令を実装し、同一の基地局によってサービスが提供される間且つリストされたＣＳＧセルうちの任意のものを伴う測定値報告トリガ条件が満たされる場合に、無線端末はトリガ・セルのセルＩＤを含む測定値報告である測定値報告ＣＳＧセルを在圏基地局へ送信する。測定値報告トリガ・メカニズムそれ自体はすべてのセルで同一であるが、認可セルだけが測定値報告トリガ・メカニズムにおいて考慮される。測定値報告トリガで考慮されるすべてのハンドオーバ候補セルは、無線端末がアクセスしてサービスを取得することを認可されたセルである。
【００５４】
場合によってはトリガ・セルに関連する後続の測定値報告の受信後に、報告されたＣＳＧセルへ無線端末接続がハンドオーバされるべきであることを在圏基地局が決定した場合に、論理的には図８の「Ｃ」を介して、場合によっては図８で説明されるような複数のインタフェース及びノードを介して（ＬＴＥアーキテクチャでは中央ノード／ＭＭＥを介して）ハンドオーバ要求メッセージをＣＳＧ基地局へ送信する。ＭＭＥ／ＣＮは自身のＣＳＧセル−無線端末認可リスト７４を調べ、無線端末がこのセルについてＣＳＧの認可メンバーであることを判定する。図８の例では「Ｄ」を介してＣＳＧ基地局へ、及び場合によっては図８に説明されるような複数のインタフェース及びノードを介して在圏基地局へハンドオーバ認可確認メッセージが送信され、ＣＳＧセルへのハンドオーバが実行される。
【００５５】
大きなクローズド加入者グループ・ネットワークは付加的な問題を表すかもしれない。多くのＣＳＧセルからなる多くのＣＳＧネットワークにアクセスすることが認可された無線端末を検討する。無線端末が新たな在圏基地局へのハンドオーバを実行するごとに、この在圏基地局は中央ノード／ＭＭＳ／ＨＳＳから、無線端末がアクセスすることを認可されたすべてのＣＳＧセルのセル識別子（例えばＣＧＩ）を含むリストを受信するだろう。このリストは極めて長いかも知れず、在圏基地局とＭＭＥとの間の通信を通信リソースの観点で高コストにする。
【００５６】
この問題を解決するために、ＣＳＧネットワークは規定のセル識別子（例えばＣＳＧ又はＰＣＩ）の範囲を用いてもよい。範囲内のセルＩＤ（例えばＣＧＩ又はＰＣＩ）を有するすべてのセルがＣＳＧネットワークに属すると想定する。所定のネットワークに属するすべてのＣＳＧにおいて無線端末が認可されていることをＭＭＥが在圏マクロ基地局に知らせるために、ＣＳＧネットワークのセルＩＤ（例えばＣＧＩ又はＰＣＩ）の範囲を通信するだけでよい。次いで、在圏基地局は、このＣＳＧセルにおいて対応する無線端末が認可されているかどうかを判定するために、範囲内のセルＩＤ（例えば、ＣＧＩ又はＰＣＩ）をＣＳＧ隣接セルが有するかどうかを単に調べてもよい。これは、中央ノード／ＭＭＥと在圏基地局との間で要求されるシグナリングの量を抑える。
【００５７】
所望の場合には、事業者はセルＩＤの範囲を提供するサービスごとにＣＳＧネットワーク所有者を変更してもよい。プライベート・ユーザ又は小企業は小コストに関連する狭いセルＩＤの範囲を用いてもよく、大企業又は大組織は事業者がより大きく変更してもよい広いセルＩＤの範囲を用いてもよい。ＣＳＧ所有者はすべてのＣＳＧセル内のすべての無線端末を明示的に認可する必要がないため、本サービスは有益である。無線端末にＣＳＧネットワークにアクセスすることをひとたび認可されると、ＣＳＧネットワークに属するすべてのセルにおいて自動的に認可される。
【００５８】
さらに、セルＩＤの範囲は所望の場合に在圏基地局と個別の無線端末との間の個別用の測定値制御信号の代わりに用いられてもよい。無線端末は単に、セルが一つ以上の限定／規制／ＣＳＧセルを含み又は在圏セルの「ブラックリスト」に含まれるにもかかわらず、セルＩＤレンジに属するすべてのセルを考慮するように測定値報告トリガにおいて要求してもよい。このアプローチは、ＣＳＧセルの数が多く且つ同じ事業者に属する場合に特に有益である。さらに、セルＩＤの範囲は、在圏セルの同報チャネルを通じて在圏基地局により同報されるブラックリストを置き換える個別の無線端末に専有される「ブラックリスト」をまとめるために用いられ得るだろう。
【００５９】
無線端末ハンドオーバにおいて、新たな在圏セルと中央ノード／ＭＭＥ／ＨＳＳとの間に情報交換が存在してもよい。この情報は無線端末がアクセスを有するＣＳＧセルのリストを含む。ネットワークの大部分のセルについて、ＣＳＧセル−無線端末認可情報は関連しない。なぜなら、これらのセルはＣＳＧセル認可リストのいかなるセルにも隣接しないからである。この場合に、ＣＳＧセル認可情報は在圏基地局において必要ない。家に設置されたＣＳＧセルを無線端末の所有者が有し、このユーザが別の都市を訪問する例示の説明的な状況を検討する。この場合に、無線端末がハンドオーバを実行するセルは無線端末のホームＣＳＧセルに隣接しないだろう。
【００６０】
従って、在圏セルの隣接セルにも属するＣＳＧセルのみを含むように、中央ノード／ＭＭＥから結合された在圏基地局へ通知されたＣＳＧ認可リストをフィルタすることが望ましい。これを行うための一つの好適である例示の方法は、特定の中央ノード／ＭＭＥに結合する基地局によってサービスを提供されるすべてのセルのＮＣＲリストを記憶することである。そして、中央ノードは在圏セルの隣接セル関連リストと、検討される無線端末についてのＣＳＧセル−無線端末認可リストとを比較できる。これは、中央ノード／ＭＭＥと基地局との間の隣接セル関連リストの同期化のコストの点でハンドオーバ・イベントにおいて相対的に低いシグナリングを生む。これを行うための別の方法は、基地局のみが基地局のＮＣＲリストを記憶し、中央ノード／ＭＭＥは記憶せず、各ハンドオーバ後に隣接セル関連リストを中央ノード／ＭＭＥに通知することである。ここでもやはり、中央ノードにおいてフィルタリングが行われる。このアプローチは新たな在圏セル及び中央ノード／ＭＭＥからの多大なシグナリングを必要としない。
【００６１】
中央ノード／ＭＭＥとマクロ基地局との間で通知されるＣＳＧ認可リストをフィルタするために、いくつかのその他の解決策を取り得る。ＣＳＧ認可リストはトラッキング・エリアに基づいてフィルタされる。中央ノード／ＭＭＥは無線端末がアクセスすることを認可されたＣＳＧセルのトラッキング・エリアを知っている。ＭＭＥが基地局のセルに入る新たな無線端末に関してコンタクトされる際に、ＭＭＥは任意の認可ＣＳＧセルがこの在圏基地局と同じトラッキング・エリアに属するかどうかを調べる。在圏セルと同じトラッキング・エリアにも属する認可ＣＳＧセルのみが、中央ノード／ＭＭＥから在圏基地局へ送信されるＣＳＧ認可リストに含まれる。ＣＳＧ認可リストはまたＰＬＭＮ識別子に基づいてフィルタされてもよい。ＭＭＥは無線端末がアクセスすることを認可されたＣＳＧセル（群）についてのＰＬＭＮ識別子を知っている。基地局のセルに入る新たな無線端末に関してＭＭＥがコンタクトされる際に、ＭＭＥは在圏基地局のＰＬＭＮ識別子に互換性のあるＰＭＬＮに任意の認可ＣＳＧセルが属するかどうかを調べる。互換性という用語は、事業者がいくつかの異なるＰＬＭＮ識別子を有する状況又は相異なるＰＬＭＮ識別子を有するいくつかの事業者が一緒にネットワークを所有する状況を含むために用いられる。在圏基地局と互換性のあるＰＬＭＮにも属する認可ＣＳＧセルのみが、中央ノード／ＭＭＥから在圏基地局へ送信されるＣＳＧ認可リストに含まれる。
【００６２】
無線端末のハンドオーバにおいて、旧在圏セルと新在圏セルとの間で交換される情報が存在してもよい。この情報は無線端末がアクセスを有するＣＳＧセルの認可リストを含んでもよい。このようなシグナリング・サポートに関して、無線端末が当初から登録する基地局のみが中央ノード例えばＨＳＳ又は在圏ロケーション・レジスタ（ＶＬＲ）にコンタクトして、無線端末がアクセスを有するＣＳＧセル（群）の認可リストを取得する必要がある。無線端末がアクセスを有するＣＳＧセル（群）のこの認可リストは次いで無線端末ハンドオーバ手順の一部として次の在圏基地局へ渡される。
【００６３】
上述の技術の利点は、一般のセルからＣＳＧセルへのハンドオーバをコスト効率高くサポートすることを含む一方で、各ＣＳＧセルの認可リストから無線端末が容易に追加・削除され得る柔軟なＣＳＧ管理をサポートする。さらに、セル識別子の範囲の使用は、本解決策のＣＳＧセルのネットワークへの拡張性の高いものにし、ブラックリストが用いられる場合にセルがアクセスを禁止されることを判定するための影響が小さい。
【００６４】
様々な実施形態が詳細に示され説明されてきたが、特許請求の範囲はいかなる特定の実施形態又は例に限定されない。上記の説明は、任意の特定の要素、ステップ、範囲又は機能が特許請求の範囲に含まれなければならない不可欠であることを示すように読み取られるべきではない。特許の主体の範囲は特許請求の範囲のみによって規定される。法的保護の範囲は許可された特許請求の範囲の文言とその均等物とによって規定される。当業者に知られている上述の好適な実施形態の要素のすべての構造的及び機能的な均等物は参照によりここに明確に組み込まれ、特許請求の範囲に包含されることを意図する。さらに、装置又は方法が本発明によって解決しようとするそれぞれすべての課題を解決する必要はない。特許請求の範囲は、「ｍｅａｎｓ  ｆｏｒ」又は「ｓｔｅｐ  ｆｏｒ」という用語が用いられない限り、米国特許法第１１２条第６パラグラフを適用する意図はない。さらに、本明細書のいかなる実施形態、機能、コンポーネント又はステップも、特許請求の範囲に実施形態、機能、コンポーネント又はステップが記載されているかどうかに関わらず、一般公衆に開放されることは意図されていない。
【図１】
2010537480.tif 000003
【図２】
2010537480.tif 000004
【図３】
2010537480.tif 000005
【図４】
2010537480.tif 000006
【図５】
2010537480.tif 000007
【図６】
2010537480.tif 000008
【図７】
2010537480.tif 000009
【図８】
2010537480.tif 000010
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
在圏セルに関連する在圏基地局（１８，１９）からＣＳＧ（クローズド加入者グループ）基地局によりサービスが提供されるＣＳＧセルへの無線端末接続のハンドオーバに関する方法であって、前記ＣＳＧに属する無線端末（２０）のみが前記ＣＳＧセルからのサービスにアクセスして受信することを許可されており、前記ＣＳＧ基地局により送信された信号の信号品質測定値を前記在圏基地局へ報告すべきでない無線端末を識別する情報が前記在圏セル内の無線端末へ提供されており、
前記方法は前記在圏基地局において実装されており、
前記在圏セル内の無線端末の一つが前記ＣＳＧセルからのサービスにアクセスして受信することを認可されていることを判定する工程と、
前記ＣＳＧセルが前記無線端末についてのハンドオーバ候補とみなされ得ることを示すメッセージを前記一つの無線端末へ送信する工程と、
前記ＣＳＧ基地局に対応する信号品質測定値報告に基づいて、前記一つの無線端末との接続が前記ＣＳＧ基地局へハンドオーバ可能であることを判定する工程と、
前記ＣＳＧ基地局への前記接続のハンドオーバを促進する工程と
を有することを特徴とする方法。
【請求項２】
前記ＣＳＧ基地局により送信された信号の信号品質測定値を前記在圏基地局へ報告しないための前記情報は前記在圏セル内で同報され、前記情報が報告されるべきでないセルを識別するリスト又は前記情報が報告されるべきセルのみを識別するセルのリストを含むことを特徴とする請求項１に記載の方法。
【請求項３】
前記ＣＳＧセルが禁止セルであることを示す第１メッセージを用いて無線端末は前記ＣＳＧ基地局により送信された信号の信号品質測定値を前記在圏基地局へ報告しないことを通知され、
前記送信する工程は、前記ＣＳＧ基地局により送信された信号の信号品質測定値を前記無線端末が報告すべきことを示す後続する第２メッセージを前記無線端末へ送信する工程を含む
ことを特徴とする請求項１に記載の方法。
【請求項４】
前記判定する工程は、前記在圏基地局に結合された中央ノード（７０）から、前記無線端末が前記ＣＳＧセルからのサービスにアクセスして取得することを認可されていることを示すＣＳＧセルの認可リストを受信する工程を含むことを特徴とする請求項１に記載の方法。
【請求項５】
前記ＣＳＧセルは前記無線端末がアクセスしてサービスを要求することを認可されているＣＳＧセルのＣＳＧネットワークの一部であり、各ＣＳＧネットワーク・セルは関連するセル識別子を有しており、
前記判定する工程は、前記在圏基地局に結合された中央ノードからＣＳＧセル識別子の範囲を受信する工程を含む
ことを特徴とする請求項１に記載の方法。
【請求項６】
在圏セルに関連する在圏基地局からＣＳＧ（クローズド加入者グループ）基地局によりサービスが提供されるＣＳＧセルへの無線端末接続のハンドオーバを支援する在圏基地局（１８，１９）であって、前記ＣＳＧに属する無線端末（２０）のみが前記ＣＳＧセルからのサービスにアクセスして受信することを許可されており、前記ＣＳＧ基地局により送信された信号の信号品質測定値を前記在圏基地局へ報告すべきでない無線端末を識別する情報が前記在圏セル内の無線端末へ提供されており、
前記在圏基地局（１８，１９）は、
無線送受信回路（３２）と、
前記在圏セル内の無線端末の一つが前記ＣＳＧセルからのサービスにアクセスして受信することを認可されていることを判定し、
前記ＣＳＧセルが前記無線端末についてのハンドオーバ候補とみなされ得ることを示すメッセージを前記一つの無線端末へ送信し、
前記ＣＳＧ基地局についての信号品質測定値報告に基づいて、前記一つの無線端末との接続が前記ＣＳＧ基地局へハンドオーバ可能であることを判定し、
前記ＣＳＧ基地局への前記接続のハンドオーバを促進する
ように構成された電子処理回路を含むデータ処理システム（３４）と
を備えることを特徴とする在圏基地局（１８，１９）。
【請求項７】
前記無線送受信回路は、前記ＣＳＧ基地局により送信された信号の信号品質測定値を前記在圏基地局へ報告しないための前記情報を前記在圏セル内に同報し、前記情報が報告されるべきでないセルを識別するリスト又は前記情報が報告されるべきセルのみを識別するセルのリストを含めることを特徴とする請求項６に記載の在圏基地局。
【請求項８】
前記ＣＳＧセルが一般アクセスに対して禁止セルであることを示す第１メッセージを用いて無線端末は前記ＣＳＧ基地局により送信された信号の信号品質測定値を前記在圏基地局へ報告しないことを通知されており、
前記電子回路は、前記ＣＳＧ基地局により送信された信号の信号品質測定値を前記無線端末が報告すべきことを示すとともに、前記無線端末へ前記無線送受信回路を介して送信される後続する第２メッセージを生成するように構成された
ことを特徴とする請求項６に記載の在圏基地局。
【請求項９】
前記電子回路は、前記在圏基地局に結合された中央ノードから、前記無線端末が前記ＣＳＧセルからのサービスにアクセスして取得することを認可されていることを示すＣＳＧセルの認可リストを受信するように構成されたことを特徴とする請求項６に記載の在圏基地局。
【請求項１０】
前記ＣＳＧセルは前記無線端末がアクセスしてサービスを要求することを認可されているＣＳＧセルのＣＳＧネットワークの一部であり、各ＣＳＧネットワーク・セルは関連するセル識別子を有しており、
前記電子回路は、前記在圏基地局に結合された中央ノードからＣＳＧセル識別子の範囲を受信し、前記無線端末のセル識別子が前記受信されたＣＳＧセル識別子の範囲内かを調べ、範囲内の場合に前記ＣＳＧネットワーク内のすべてのＣＳＧセルからのサービスにアクセスして受信することを前記無線端末に認可するように構成された
ことを特徴とする請求項６に記載の在圏基地局。
【請求項１１】
前記電子回路は、前記無線端末についての以前の在圏基地局からのハンドオーバの間にＣＳＧセルの認可リストを受信するように構成され、
前記ＣＳＧセルの認可リストは、前記無線端末が前記ＣＳＧセルからのサービスにアクセスして取得することを認可されていることを示す
ことを特徴とする請求項６に記載の在圏基地局。
【請求項１２】
在圏セルに関連する在圏基地局（１８，１９）と通信する無線端末（２０）であって、前記無線端末はＣＳＧ（クローズド加入者グループ）基地局によりサービスが提供されるＣＳＧセルに属しており、前記ＣＳＧに属する無線端末のみが前記ＣＳＧセルからのサービスにアクセスして受信することを許可されており、
前記無線端末（２０）は、
無線送受信回路（６０）と、
ＣＳＧ基地局によって送信された信号の信号品質測定値を前記在圏基地局へ報告しないことを前記無線端末に知らせる第１情報を受信し、
ＣＳＧ基地局以外の隣接基地局によって送信された信号の品質測定値を取得するとともに、取り得るハンドオーバ動作のために前記在圏基地局へ前記信号の品質測定値を報告し、
前記第１情報を無効にし、且つ前記ＣＳＧ基地局によって送信された信号の信号品質測定値を前記在圏基地局へ報告することを前記無線端末に知らせる第２情報を受信し、
前記ＣＳＧ基地局によって送信された信号の信号品質を測定するとともに、前記ＣＳＧ基地局の信号品質測定値を前記在圏基地局へ報告する
ように構成された電子処理回路を含む、前記無線送受信回路に結合されたデータ処理システム（６２）と
を備えることを特徴とする無線端末（２０）。
【請求項１３】
前記第２情報はＣＳＧセル識別子の範囲を含み、前記電子回路は、前記範囲内のセル識別子を有する任意のＣＳＧ基地局によって受信された信号品質を測定するとともに、前記ＣＳＧ基地局の信号品質測定値を前記在圏基地局へ報告するように構成されたことを特徴とする請求項１２に記載の無線端末。
【請求項１４】
前記無線端末が在圏基地局からのサービスを取得又は維持できない場合に、任意の近隣ＣＳＧ基地局により受信された信号の信号品質をスキャンし、サービスを提供する近隣ＣＳＧ基地局を選択するように前記電子回路が構成され、
認可ＣＳＧ基地局は非認可ＣＳＧ基地局よりも高い選択優先度を有する
ことを特徴とする請求項１２に記載の無線端末。
【請求項１５】
中央ノード（７０）であって、
在圏セルにサービスを提供する在圏基地局（１８，１９）と通信するとともに、ＣＳＧ（クローズド加入者グループ）に属する無線端末（２０）のみがＣＳＧセルからのサービスにアクセスして受信することを許される前記ＣＳＧセルにサービスを提供するＣＳＧ基地局と通信するインタフェース（７６）と、
複数の無線端末のそれぞれについて前記無線端末がサービスにアクセスして受信することを認可されたすべてのＣＳＧセルを識別するＣＳＧ認可リストを記憶するメモリ（７４）と、
前記無線端末がアクセスすることを認可されたＣＳＧセルを前記ＣＳＧ認可リストが含む場合に前記在圏セル内の一つの無線端末にサービスを提供する在圏基地局へＣＳＧ認可リストを提供するとともに、それ以外の場合に前記在圏基地局へ前記ＣＳＧ認可リストを提供しないように構成されたコントローラ（７８）と
を備えることを特徴とする中央ノード（７０）。
【請求項１６】
前記コントローラは、前記在圏セルに隣接し且つ前記無線端末がアクセスすることを認可されたＣＳＧセルのみを前記ＣＳＧ認可リストに含めるように構成されたことを特徴とする請求項１５に記載の中央ノード。
【国際調査報告】
2010537480.tif 000011
2010537480.tif 000012
2010537480.tif 000013
2010537480.tif 000014